(57)【要約】【課題】携帯情報端末によって温水洗浄便座を操作する場合の使い勝手が良好な温水洗浄便座システムと、そのための携帯情報端末とを提供する。【解決手段】携帯情報端末１０を所持した人Ｐがトイレルーム１に入室すると、人体検知センサ７が検知し、温水洗浄便座３から携帯情報端末１０に無線信号が送信され、携帯情報端末１０の表示が非着座時用操作画面８０に切り替わる。人Ｐが便座６に着座すると、携帯情報端末１０の画面が着座時用操作画面９０に切り替わり、シャワー装置１９等の操作が可能となる。メニュースイッチにタッチすると、条件設定画面１４０が表示され、設定条件を変更すると、アイコン１３１〜１３８の色又は形が変化する。【選択図】図１
2013036175.tif 000002
【特許請求の範囲】
【請求項１】
表示画面を有した携帯情報端末であって、温水洗浄便座を操作することが可能な携帯情報端末において、
温水洗浄便座からの無線信号を受信する手段と、
温水洗浄便座からの入室者検知信号を該受信手段が受信すると該表示画面に温水洗浄便座の操作画面を表示させる手段と、
温水洗浄便座の設定条件を記憶する記憶手段と、
設定条件を温水洗浄便座に送信する手段と、
該表示画面に条件設定画面を表示させる表示手段と
を備えてなり、
該表示手段は、設定条件を項目別に文字又は図形形状のアイコンにて表示するものであり、該アイコンに触れると設定条件が変更可能とされ、設定条件の変更に対応してアイコンの色又は形状が変化することを特徴とする携帯情報端末。
【請求項２】
請求項１において、前記設定条件には、少なくとも入室者検知時における便座及び便蓋の開放形態設定と、暖房便座の温度設定とが含まれることを特徴とする携帯情報端末。
【請求項３】
請求項１又は２において、前記温水洗浄便座からの入室者検知信号を前記受信手段が受信すると、前記表示画面に温水洗浄便座非着座時用操作画面を表示させる手段と、
温水洗浄便座からの着座検知信号を該受信手段が受信すると該表示画面に温水洗浄便座の着座時用操作画面を表示させる手段と、
を備えたことを特徴とする携帯情報端末。
【請求項４】
請求項３において、さらに、温水洗浄便座からの洗浄開始信号を該受信手段が受信すると該表示画面に洗浄中用操作画面を表示させる手段と、
温水洗浄便座からの洗浄停止信号を該受信手段が受信すると該表示画面に着座時用操作画面を表示させる手段と
を備えており、
該着座時用操作画面には、少なくとも、温水洗浄装置の作動用アイコン及び停止用アイコンと、乾燥装置の作動用アイコン及び停止用アイコンと、洗浄強度調整用アイコンと、温水温度調整用アイコンとが表示されることを特徴とする携帯情報端末。
【請求項５】
温水洗浄便座と、請求項１ないし４のいずれか１項の携帯情報端末とを有する温水洗浄便座システムであって、
該温水洗浄便座は、
便器に設置される温水洗浄便座本体と、
トイレルーム内への人体の入室を検知するための人体検知手段と、
便座への着座を検知する着座センサと、
携帯情報端末からの操作信号を受信する操作信号受信手段と、
入室を示す無線信号を発信する手段と
を備えたことを特徴とする温水洗浄便座システム。
【発明の詳細な説明】
【技術分野】
【０００１】
本発明は、トイレの温水洗浄便座を操作するための携帯情報端末と、この携帯情報端末及び温水洗浄便座を備えた温水洗浄便座システムに関する。
【背景技術】
【０００２】
便器に設置された、人体臀部を温水で洗浄するための温水洗浄便座にあっては、スイッチを操作することにより温水の噴出、停止などの各種の動作が実行される。このスイッチは、便座に設置された温水洗浄便座本体に設けられたり、温水洗浄便座本体とは別体のリモコンに設けられている。
【０００３】
特許文献１（特開２００３−１２５４６７）には、携帯電話を洗浄装置のリモコンとして使用することが記載されている。特許文献１では、洗浄装置として主として洗濯機が記述されているが、洗浄装置は温水洗浄便座であってもよいことが記載されている（００４０段落）。
【０００４】
特許文献１では、携帯電話の所有者がインターネットを介して情報提供者サーバにアクセスし、洗濯機制御プログラムをダウンロードする。それ以降は、携帯電話を洗濯機のリモコンとして使用することが可能となる。携帯電話と洗濯機との間は簡易通信手段によって通信が行われる。
【先行技術文献】
【特許文献】
【０００５】
【特許文献１】特開２００３−１２５４６７
【発明の概要】
【発明が解決しようとする課題】
【０００６】
上記特許文献１には、携帯電話によって洗濯機をリモートコントロールすることについて記述されているが、温水洗浄便座を具体的にどのようにしてリモートコントロールするかについては記載がない。
【０００７】
本発明は、携帯情報端末によって温水洗浄便座を操作する場合の使い勝手が良好な温水洗浄便座システムと、そのための携帯情報端末とを提供することを目的とする。
【課題を解決するための手段】
【０００８】
本発明の携帯情報端末は、表示画面を有した携帯情報端末であって、温水洗浄便座を操作することが可能な携帯情報端末において、温水洗浄便座からの無線信号を受信する手段と、温水洗浄便座からの入室者検知信号を該受信手段が受信すると該表示画面に温水洗浄便座の操作画面を表示させる手段と、温水洗浄便座の設定条件を記憶する記憶手段と、設定条件を温水洗浄便座に送信する手段と、該表示画面に条件設定画面を表示させる表示手段とを備えてなり、該表示手段は、設定条件を項目別に文字又は図形形状のアイコンにて表示するものであり、該アイコンに触れると設定条件が変更可能とされ、設定条件の変更に対応してアイコンの色又は形状が変化することを特徴とするものである。
【０００９】
前記設定条件には、少なくとも入室者検知時における便座及び便蓋の開放形態設定と、暖房便座の温度設定とが含まれることが好ましい。
【００１０】
本発明の携帯情報端末は、温水洗浄便座からの入室者検知信号を該受信手段が受信すると該表示画面に温水洗浄便座の非着座時用操作画面を表示させる手段と、温水洗浄便座からの着座検知信号を該受信手段が受信すると該表示画面に温水洗浄便座の着座時用操作画面を表示させる手段を備えてもよい。
【００１１】
本発明の携帯情報端末は、さらに、温水洗浄便座からの洗浄開始信号を該受信手段が受信すると該表示画面に洗浄中用操作画面を表示させる手段と、温水洗浄便座からの洗浄停止信号を該受信手段が受信すると該表示画面に着座時用操作画面を表示させる手段とを備えており、該着座時用操作画面には、少なくとも、温水洗浄装置の作動用アイコン及び停止用アイコンと、乾燥装置の作動用アイコン及び停止用アイコンと、洗浄強度調整用アイコンと、温水温度調整用アイコンとが表示されるよう構成されてもよい。
【００１２】
本発明の温水洗浄便座システムは、温水洗浄便座と、上記本発明の携帯情報端末とを有する温水洗浄便座システムであって、該温水洗浄便座は、便器に設置される温水洗浄便座本体と、トイレルーム内への人体の入室を検知するための人体検知手段と、便座への着座を検知する着座センサと、携帯情報端末からの操作信号を受信する操作信号受信手段と、入室を示す無線信号を発信する手段とを備えたことを特徴とするものである。
【発明の効果】
【００１３】
本発明の携帯情報端末及び温水洗浄便座システムにあっては、温水洗浄便座操作用プログラムを搭載した携帯情報端末を所持した人がトイレルームに入室すると、温水洗浄便座が人体を検知し、入室者検知信号が温水洗浄便座から携帯情報端末に送信される。携帯情報端末がこの信号を受信すると、その表示画面が温水洗浄便座を操作するための画面となり、携帯情報端末によって温水洗浄便座を操作することが可能となる。
【００１４】
本発明の携帯情報端末では、温水洗浄便座の設定条件を変更するための条件設定画面を表示させ、設定条件を変更することができる。この条件設定画面には、設定条件が項目別に文字又は図形形状のアイコンにて表示されている。このアイコンに触れることにより、設定条件が変更可能である。そして、設定条件を変更すると、それに対応してアイコンの色又は形状が変化するので、設定条件が変更されたことを視覚的に容易に認識することができる。
【００１５】
本発明の携帯情報端末は、入室者検知信号を受信すると、その表示画面を非着座状態で操作するための非着座時用操作画面に切り替わるように構成してもよい。また、人が温水洗浄便座の便座に着座すると、温水洗浄便座が着座検知無線信号を出力し、携帯情報端末がこの着座検知無線信号を受信すると、携帯情報端末の表示画面が着座時用操作画面に切り替わるように構成してもよい。
【００１６】
本発明では、温水洗浄便座でシャワー又はビデ洗浄が開始したときに、携帯情報端末の画面を洗浄中用操作画面に切り替え、洗浄強さ、温水温度等の設定変更用の表示を行ってもよい。
【００１７】
このように温水洗浄便座の使用状況に応じて携帯情報端末の表示画面を切り替えることにより、表示画面に当面は不要なスイッチが表示されないようになり、画面表示がすっきりしたものとなり、操作が明快となる。
【図面の簡単な説明】
【００１８】
【図１】実施の形態に係る温水洗浄便座を備えたトイレルームの斜視図である。
【図２】洗浄装置の概略図である。
【図３】温水洗浄便座の制御ブロック図である。
【図４】温水洗浄便座の制御フローチャートである。
【図５】温水洗浄便座の制御フローチャートである。
【図６】携帯情報端末の制御フローチャートである。
【図７】携帯情報端末の制御フローチャートである。
【図８】携帯情報端末の表示画面図である。
【図９】携帯情報端末の表示画面図である。
【図１０】携帯情報端末の表示画面図である。
【図１１】携帯情報端末の表示画面図である。
【図１２】携帯情報端末の表示画面図である。
【図１３】携帯情報端末の表示画面図である。
【図１４】携帯情報端末の表示画面図である。
【図１５】携帯情報端末の表示画面図である。
【図１６】携帯情報端末の表示画面図である。
【発明を実施するための形態】
【００１９】
以下、図面を参照して実施の形態について説明する。
【００２０】
図１の通り、トイレルーム１内に洋風便器２が設置され、該洋風便器２上に温水洗浄便座３が設置されている。この温水洗浄便座３は、便器２の後部に設置された便座ボックス４と、該便座ボックス４に上下方向回動可能に支持された便蓋５及び便座６を有している。便座ボックス４の上面前縁部には、便蓋５及び便座６の双方が倒伏した状態（図１）において、便器２前方の人体を検知する第１人体検知センサ７が設けられている。また、便座ボックス４の前面の左右方向の中央の下部には、便蓋５及び便座６の双方が起立した状態において便器２前方の人体を検知する第２人体検知センサ９（図３参照。図１では図示されていない。）が設けられている。
【００２１】
トイレルーム１の壁面には、温水洗浄便座３を操作するためのリモコン８が設置されている。トイレルーム１の利用者Ｐは携帯情報端末１０を所持しており、温水洗浄便座３はリモコン８だけでなく、この携帯情報端末１０によっても操作可能となっている。携帯情報端末１０と温水洗浄便座３とはブルートゥースなどの簡易無線通信システムによって相互通信するよう構成されている。携帯情報端末１０には、タッチパネル式の液晶表示画面が設けられている。この携帯情報端末１０にはメニュースイッチ（図示略）が設けられている。
【００２２】
この実施の形態では、携帯情報端末１０から温水洗浄便座３に送信する信号データ中に携帯情報端末１０の所有者を示すＩＤ信号を含ませておき、温水洗浄便座３が特定の携帯情報端末１０からの信号を受信した後は、この携帯情報端末１０による操作が終了するまではこの携帯情報端末１０以外の携帯情報端末からの信号では制御動作しないように構成されている。
【００２３】
便座ボックス４には、図３の通り、人体検知センサ７，９のほか、便座６への着座を検知する着座センサ１１、リモコン８及び携帯情報端末１０からの無線信号を受信する受信部１２、携帯情報端末に無線信号を発信する発信部１３、入力信号に基づいて制御を行う制御部１５、該制御部１５によって制御される便蓋回動装置１６、便座回動装置１７、便座ヒータ１８、人体臀部洗浄用のシャワー装置１９及びビデ装置２０、温風を臀部に吹き付けて乾燥させるための乾燥装置２１、便器の便鉢から臭気を含んだ空気を排出し、活性炭等によって除臭する脱臭装置２２、室内に温風を吹き出すための室内暖房装置２３、トイレルーム１の床面に向って投光する照明装置２４、便座ボックス４を図１の矢印Ｈのように昇降させるための便座ボックス昇降装置２５、便器の便鉢に水を流すフラッシュ装置２６、プラズマクラスターイオンを発生させてトイレルーム内に供給するためのイオン発生装置２８などの機器が制御される。
【００２４】
制御部１５には温水洗浄便座の設定条件を記憶するためのメモリ装置２７が接続されている。
【００２５】
なお、シャワー装置１９及びビデ装置２０は、図２のように、水が開閉用メインバルブ２９、流量調整バルブ３０、ヒータ３１を介してシリンダ３２に供給され、ノズル３３の先端から温水が噴出するよう構成されている。ノズル３３は水圧又はモータによって進退が行われる。シリンダ３２には前後位置調節装置３４が設けられており、シリンダ３２の前後位置を調節することによりシャワーやビデの洗浄位置を調節することができる。
【００２６】
図４を参照してこの制御部１５の作動について説明する。
【００２７】
トイレルーム１内に人が入室してきて第１人体検知センサ７がこの人体を検知すると、ステップ４１から４２に進み、発信部１３が入室者検知無線信号を発信し、次いで便蓋回動装置１６によって便蓋５を起立回動させる（ステップ４３）。次いで、ステップ４４に進む。
【００２８】
なお、この実施の形態では、入室者を検知すると便蓋が開くように条件設定がなされているが、後述のように、便蓋及び便座の双方が開く設定に変更したり、便蓋及び便座のいずれも開かない設定に変更することが可能である。
【００２９】
ステップ４４で着座が検知されるか判断し、着座が検知されないときにはステップ５５に移り、便座開信号が受信されたか判断し、受信されないときはステップ５５ａに移り、所定時間（例えば１〜３分）経過するまでステップ４４，５５，５５ａを循環する。この所定時間の間に便座開信号が受信されないときにはステップ５５ａからステップ５４に移り、便蓋５を閉とし、ステップ４１に戻る。
【００３０】
ステップ４４，５５，５５ａを循環している途中で便座開信号を受信したときには、ステップ５５からステップ５６に進み、便座６を開とした後、ステップ５７に進み、便座閉信号の受信の有無を判断し、その結果に応じてステップ５８又は６０に進む。便座閉信号が受信されるまで、そして、第２人体検知センサ９が人体を検知している間はステップ５７，５８を循環する。この循環途中で人体が検知されなくなったときには、人が退室したのであるから、ステップ５８からステップ５９に移り、便座６及び便蓋５を閉とし、ステップ４１に戻る。ステップ５７，５８の循環途中で便座閉信号を受信したときには、ステップ５７からステップ６０に移り、便座６を閉とした後、ステップ４４に戻る。
【００３１】
ステップ４４，５５，５５ａ又はステップ４４，５５，５６，５７，６０を循環している途中で着座が検知されたときには、ステップ４４から４５に進み、着座検知信号を発信し、ステップ４６にて洗浄スイッチ（シャワー用アイコン９３，９４又はビデアイコン９５。図９参照。）がタッチ操作されたか判断する。
【００３２】
洗浄スイッチがタッチ操作されないときは、ステップ４６から５０に移り、離座（便座６から立ち上がること。脱座ともいう。着座センサ１１によって検知される。）したか判断し、離座しておらず、着座が継続しているときには、ステップ４６に戻る。ステップ４６，５０の循環途中で洗浄スイッチ（シャワー用アイコン９３，９４又はビデアイコン９５。図９参照。）がタッチ操作されたときにはステップ４６からステップ４７に進み、シャワー装置又はビデ装置による洗浄を開始させると共に、洗浄開始無線信号を発信する。次いで、ステップ４８に進み、洗浄を停止させる止アイコン１０４（図１０）がタッチ操作されるまで洗浄を続ける。止アイコン１０４がタッチ操作されると、ステップ４８からステップ４９に進み、シャワー装置又はビデ装置による洗浄を停止させると共に、洗浄終了無線信号を発信する。その後、離座が検知されるまでステップ４６〜５０を循環する。
【００３３】
ステップ５０で離座が検知されると、ステップ５０からステップ５１に進み、離座検知無線信号を発信し、ステップ５２に進む。着座が検知されないときにはステップ５３に進み、所定時間（例えば１〜３分）経過後、便蓋５を閉め（ステップ５４）、ステップ４４に戻る。なお、この所定時間経過前に再度の着座があったときには、ステップ５２からステップ４５に戻る。
【００３４】
図４において、入室者を検知した後のプログラムを実行している間に、携帯情報端末１０から設定条件を変更したことを表わす信号が送られてきた時には、図５のステップ７７，７８の通り、メモリ装置２７に設定されている設定条件を変更する。なお、この設定条件としてどのようなものがあるかについては後述する。
【００３５】
次に、図６，７を参照して携帯情報端末１０による温水洗浄便座３の制御プログラムについて説明し、図８〜１２を参照して、携帯情報端末１０の表示画面について説明する。なお、この実施の形態では、携帯情報端末１０はスマートフォンであるが、これに限定されない。例えば、表示画面を携帯電話仕様に変更することにより携帯電話であっても本発明を適用可能となる。
【００３６】
この制御プログラム（アプリケーションソフト）は、携帯情報端末１０の所有者等がインターネットを介して温水洗浄便座３のメーカーのホームページにアクセスし、ダウンロードすることにより携帯情報端末１０にインストールされる。
【００３７】
この携帯情報端末１０を所持した人Ｐがトイレルーム１に入室するまでは、携帯情報端末１０の表示画面は待ち受け画面となっている。携帯情報端末１０を所持した人Ｐがトイレルーム１に入室すると、温水洗浄便座３が発信する入室者検知無線信号（図４のステップ４２参照。）が該携帯情報端末１０によって受信され、図６においてステップ６１からステップ６２に進む。そして、まず携帯情報端末１０のメモリに記憶されている前回の温水洗浄便座３の使用設定条件を温水洗浄便座３に送信する。なお、記憶データがないときには、このデータ送信の代わりに温水洗浄便座３の標準使用設定条件で温水洗浄便座３が動作すべきであることを示す信号が携帯情報端末１０から送信する。また、携帯情報端末３の表示画面を待ち受け画面から図８の非着座時用操作画面８０に切り替える。
【００３８】
この非着座時用操作画面８０では、温水洗浄便座３を搭載した便器２の写真又は絵が表示されると共に、便座開閉スイッチ用のアイコン８１と便座ボックス４の昇降スイッチ用のアイコン８２が表示される。アイコン８１に触れると、便座６が開となり、もう１回アイコン８１に触れると便座６が閉となる。便器２を男子小用に使用するときには便座６を開とすべくアイコン８１に触れることになる。
【００３９】
アイコン８２に触れると、便座ボックス４が上昇するので、便器２の上面を入念に清掃することが可能となる。アイコン８２にもう１回触れると、便座ボックス４が下降する。
【００４０】
入室者Ｐの検知に伴って便蓋５が開となっているが（図４のステップ４３参照。）、便座６は閉となっている。そして、この閉状態の便座６に着座すると、温水洗浄便座３が着座検知無線信号を発信する（図４のステップ４５）ので、この着座検知無線信号が携帯情報端末１０に受信され、ステップ６３から６４に進み、携帯情報端末１０の表示画面が図９の着座時用操作画面９０に切り替わる。この画面９０には、大フラッシュ操作スイッチ用のアイコン９１、小フラッシュ操作スイッチ用のアイコン９２、おしりを強く洗浄するシャワースイッチとしてのおしりアイコン９３、おしりを弱く洗浄するシャワースイッチとしてのマイルドアイコン９４、ビデ洗浄操作用ビデアイコン９５、乾燥操作用の乾燥アイコン９６、洗浄や乾燥を停止させる止スイッチ用の止アイコン９７が表示される。
【００４１】
大フラッシュ用アイコン９１に触れると、便器２の便鉢に多量の水が供給され、大洗浄が行われる。小フラッシュ用アイコン９２に触れると、便器２の便鉢に少量の水が供給され、小洗浄が行われる。おしりアイコン９３又はマイルドアイコン９４に触れるとシャワー装置１９が作動し、ビデアイコン９５に触れるとビデ装置２０が作動する。乾燥アイコン９６に触れると乾燥装置２１が作動する。止アイコン９７に触れると、これらの作動が停止する。
【００４２】
おしりアイコン９３、マイルドアイコン９４又はビデアイコン９５に触れると、ステップ６５から６６，６７に進み、表示画面が着座時用操作画面９０から図１０の洗浄中用操作画面１００に切り替わる。
【００４３】
この操作画面１００には、おしりアイコン１０１、マイルドアイコン１０２、ビデアイコン１０３、止アイコン１０４が表示され、これらは図９のアイコン９３，９４，９５，９７と同一の機能を有する。操作画面１００には、さらに、マッサージアイコン１０５、ワイドアイコン１０６が表示される。洗浄動作中にマッサージアイコン１０５に触れると、シャワー又はビデ洗浄強さが強弱変化し、もう１回マッサージアイコン１０５に触れるとこの強弱変化が解消し、一様強さの洗浄に戻る。洗浄動作中にワイドアイコン１０６に触れると、シャワー装置１９又はビデ装置２０のノズルが規則的に前後往復動し、洗浄範囲が前後に広がる。ワイドアイコン１０６にもう１回触れると、このモードが解消し、ノズル位置は一定となる。
【００４４】
操作画面１００には、このノズルの位置を調節するための前進用アイコン１０７と後退用アイコン１０８とが表示される。アイコン１０７に触れるとノズルが前方に移動し、アイコン１０８に触れるとノズルが後方に移動する。この移動状況は表示部１０９，１１０に表示される。
【００４５】
操作画面１００には、洗浄強さを強くするための「＋」アイコン１１１、弱くするための「−」アイコン１１２及び洗浄強さを表示する表示部１１３が設けられている。アイコン１１１に触れると、ノズルから噴出する洗浄水量が多くなり、アイコン１１２に触れると洗浄水量が減少する。
【００４６】
操作画面１００にはノズルから噴出する洗浄水の温度を高くするための「高」アイコン１１４、この温度を低くするための「低」アイコン１１５、及び設定温度を表示する表示部１１６が設けられている。アイコン１１４に触れると温水の設定温度が例えば０．５℃刻みで上昇し、アイコン１１５に触れるとこの設定温度が低下する。
【００４７】
洗浄中に止アイコン１０４に触れ、温水洗浄便座３が洗浄終了無線信号を発信する（図４のステップ４９）と、この信号を携帯情報端末１０が受信し、ステップ６８から６９に進み、表示画面が図１０の洗浄中用操作画面１００から図９の着座時用操作画面９０に戻る。その後、人が便座から立ち上がると、温水洗浄便座３が離座検知無線信号を発信する（図４ステップ５１）ので、携帯情報端末１０がこの離座検知無線信号を受信すると画面を待ち受け画面とし（ステップ７０，７１）、その後、ステップ６１に戻る。
【００４８】
ステップ６３において、着座が検知されないときには、ステップ６３，７２を循環する。所定時間（例えば１〜３分）が経過しても着座が検知されないときには、ステップ７２からステップ７１に移り、画面を待ち受け画面とした後、ステップ６１に戻る。
【００４９】
携帯情報端末１０に設けられているメニュースイッチ（メニューアイコンであってもよい。）を操作すると、図７の条件設定プログラムが実行される。即ち、メニュースイッチが操作されると、ステップ１２１から１２２に進み、図１１に示す条件設定画面１４０に切り替わり、入室検知時の便座、便蓋の開閉形態や、暖房便座温度などの設定条件をアイコン１３１〜１３８にタッチすることにより変更可能となる。
【００５０】
ステップ１２２からはステップ１２３に移り、条件変更用のアイコン１３１〜１３８にタッチしたか判断する。条件変更用アイコン１３１〜１３８のいずれかをタッチしたときには、変更後の設定条件が温水洗浄便座３に送信される（ステップ１２４）。リターンアイコン１４９にタッチすると、表示画面が元の（メニュースイッチ操作前の）画面に戻る（ステップ１２５，１２６）。なお、メニュースイッチを再度押すことにより元の画面に戻る仕様としてもよい。
【００５１】
図１１の条件設定画面１４０では、上記の便座、便蓋の開閉形態の変更用の欄１４１、暖房便座温度の変更用の欄１４２、自動洗浄の設定変更用の欄１４３、節電パターンの変更用の欄１４４、脱臭装置２２の設定変更用の欄１４５、イオン発生装置２８の設定変更用の欄１４６、照明装置２４の設定変更用の欄１４７、室内暖房装置２３の設定変更用の欄１４８及びリターンアイコン１４９が表示される。各欄１４１〜１４８には、アイコン１３１〜１３８が表示される。
【００５２】
アイコン１３１は便座及び便蓋を備えた便器の側面図の形状となっている。現状での設定が、入室者検知時に便蓋のみが開く設定であるため、アイコン１３１は便蓋が起立した図柄となっている。
【００５３】
このアイコン１３１にタッチすると、画面が図１２に示すフルオート便座条件設定画面１５０に切り替わる。この画面１５０には、入室者検知時に便蓋のみを開ける設定とするためのアイコン１５１と、便蓋及び便座の双方を開ける設定とするためのアイコン１５２と、便蓋及び便座のいずれも開けない設定とするためのアイコン１５３とが表示される。各アイコン１５１〜１５３の右隣りには、上記意味内容を表わす文言「フタのみ開く」、「フタと便座が開く」、「開かない」が表示されている。また、現状の設定は、入室者検知時に便蓋のみが開く設定となっているため、アイコン１５１が他のアイコン１５２，１５３とは異色となっている。なお、選択されたアイコンの色を黄色などの明色とし、選択されていないアイコンの色を暗色とするなど、明度や色彩によってコントラスト付けすることにより、現状の設定を明快に示すようにするのが好ましい。
【００５４】
上記の通り、現状では「フタのみ開く」設定となっているので、アイコン１５１が異色となっているが、アイコン１５２又は１５３にタッチすると、入室者検知時に「フタと便座が開く」又は「開かない」設定となると共に、タッチされたアイコン１５２又は１５３が他とは異色となる。なお、入室者検知時に便蓋及び便座の双方が開く設定は、トイレ利用者が主に男子小用利用者である場合に好適である。リターンアイコン１５４にタッチすると画面は図１１の条件設定画面１４０に戻る。
【００５５】
条件設定画面１４０の欄１４１には、上記アイコン１３１と共に、現状の設定を示す文言が表示されている。設定を変更すると、アイコン１３１と、この文言もそれに対応して変更される。当然ながら、欄１４１のアイコン１３１及び文言はフルオート便座条件設定画面１５０（図１２）で選択されたアイコンの図形及び文言に切り替わる。
【００５６】
アイコン１３２は、暖房便座のＯＮ（入）、ＯＦＦ（切）の切替と、便座温度を切り替えるものである。なお、暖房便座を「入」とする設定時と、「切」とする設定時とでアイコン１３２の色が異なったものとなる。アイコン１３２は便座をモチーフとした図形よりなる。
【００５７】
自動洗浄アイコン１３３は、人が便座から立ち上がってから所定時間（この場合は６秒）後に自動的に便器をフラッシュ洗浄するモードの「入」「切」設定用のものである。現状では、自動洗浄モードとしているので、アイコン１３３の右隣りに「自動洗浄脱座６秒後」の表示がなされている。なお、自動洗浄モードの設定時と非設定時とでアイコン１３３の色が異なったものとなる。アイコン１３３は、流れ落ちる水をモチーフとした図形よりなる。
【００５８】
アイコン１３４は、温水ヒータと便座ヒータをＯＦＦにするワンタッチ節電スイッチ用のものであり、所定時間として６時間、８時間、２４時間の３パターンが用意されている。現状では８時間のワンタッチ節電が設定されており、その旨の表示がアイコン１３４の右隣りになされている。なお、自動洗浄モードの設定時と非設定時（ＯＦＦ時）とでアイコン１３４の色が異なったものとなる。アイコン１３４は植物の葉をモチーフとした図形よりなる。
【００５９】
アイコン１３５は脱臭装置２２のＯＮ（入）、ＯＦＦ（切）の設定を切り替えるためのものであり、アイコン１３５の右隣に現状の設定を示す文言が表示される。脱臭装置の「入」設定時と「切」設定時とでアイコン１３５（「脱臭」の文字よりなる。）の色が異なったものとなる。
【００６０】
アイコン１３６はイオン発生装置２８の「入」、「切」の設定切り替え用のものであり、「入」、「切」の設定を切り替えることによりアイコン１３６の色が異なったものとなる。また、アイコン１３６の右隣りに現状の設定を示す文言（快適イオン入又は快適イオン切）が表示される。アイコン１３６は葡萄の房をモチーフとした図形よりなる。
【００６１】
アイコン１３７はトイレルーム在室時（入室してから退室するまでの間）における照明装置２４の「入」、「切」の設定切り替え用のものであり、「入」、「切」の設定が切り替えられるとアイコン１３７の色が異なったものとなる。また、アイコン１３７の右隣りに現状の設定を示す文言（照明ＯＮ又は照明ＯＦＦ）が表示される。アイコン１３７は電球をモチーフとした図形よりなる。
【００６２】
アイコン１３８は室内暖房装置２３の「入」、「切」の設定切り替え用のものであり、「入」、「切」の設定が切り替えられるとアイコン１３８の色が異なったものとなる。また、アイコン１３８の右隣りに現状の設定を示す文言（部屋暖房冷込防止ＯＮ又はＯＦＦ）が表示される。アイコン１３８は「部屋暖房」の文字よりなる。
【００６３】
これらのアイコン１３１〜１３８にタッチすると、各々の条件変更用の画面が表示され、この条件変更用画面上に表示されるアイコンにタッチすることにより設定条件が変更される。例えば、節電用アイコン１３４にタッチしたときには、後述の図１４のうちエリア１８１部分が表示され、ワンタッチ節電アイコン１８２、８ｈアイコン１８３、１２ｈアイコン１８４、２４ｈアイコン１８５及びスーパー節電アイコン１８６が表示される。ワンタッチ節電アイコン１８２にタッチした後、８ｈアイコン１８３にタッチすると、（又は直接に８ｈアイコン１８３にタッチすると、）便座ヒータ、温水ヒータ、部屋暖房ヒータなどのヒータを該８ｈアイコン１８３にタッチしたときから８時間だけＯＦＦとするヒータオフタイマーがスタートして節電モードが開始すると共に、この節電モードがあと何時間何分継続するかを表わす節電モード残余時間表示が表示される。
【００６４】
１２ｈアイコン１８４又は２４ｈアイコン１８５にタッチすると、この節電モード設定時間がタッチしてから１２時間又は２４時間に変更され、それに対応して節電モード残余時間表示も変更される。ワンタッチ節電アイコン１８２にもう１回タッチすると、この節電モードが解除される。なお、８ｈ、１２ｈ又は２４ｈアイコン１８３、１８４又は１８５により各節電モードを設定すると、当該アイコン１８３、１８４又は１８５とワンタッチ節電アイコン１８２が異色になる。
【００６５】
スーパー節電アイコン１８６にタッチすると、すべてのヒータをＯＦＦとするスーパー節電モードになり、またスーパー節電アイコン１８６が異色になる。このスーパー節電モードは、スーパー節電アイコン１８６にもう１回タッチすることにより解除される。リターンアイコン１４９にタッチすると、画面は図１１に戻る。
【００６６】
照明設定用アイコン１３７にタッチすると、後述の図１５のうちエリア１９１が表示され、ＯＮアイコン１９２とＯＦＦアイコン１９３とが表示される。ＯＮアイコン１９２にタッチすると、トイレルーム在室検知中は照明装置２４を点灯させる「入」モードが設定され、ＯＦＦアイコン１９３にタッチすると、トイレルームに在室しても照明装置２４を点灯させない「切」モードが設定される。リターンアイコン１４９にタッチすると、図１１の画面に復帰する。
【００６７】
自動洗浄設定用アイコン１３３、脱臭装置用アイコン１３５、イオン発生装置用アイコン１３６及び部屋暖房設定用アイコン１３８にタッチした場合も、それぞれＯＮアイコンとＯＦＦアイコンが表示され、「入」モード又は「切」モードが設定が行われる。リターンアイコン１４９にタッチすると、図１１の画面に戻る。
【００６８】
暖房便座用アイコン１３２にタッチすると、ＯＮアイコン及びＯＦＦアイコンと共に、便座温度変更用アイコンが表示され、さらに、現状の設定温度を示す表示（図示略）が表示される。これらのアイコンにより、暖房便座の「入」モード又は「切」モードの設定と、「入」モード時における便座温度の設定が行われる。リターンアイコン１４９にタッチすると、図１１の画面に戻る。
【００６９】
上記の条件設定方法は本発明の一例であり、これに限定されない。例えば、暖房便座のＯＮ（入）、ＯＦＦ（切）の切替と、便座温度を切り替えるためのアイコン１３２に１回タッチする毎に設定温度が１段階ずつ切り上がり、最高段階からはＯＦＦを経て最低段階に戻るサイクリック変更方式としてもよい。
【００７０】
また、自動洗浄アイコン１３３にタッチすると自動洗浄が解除され、アイコン１３３にもう１回タッチすると自動洗浄モードに復帰するようにしてもよい。
【００７１】
また、ワンタッチ節電スイッチ用アイコン１３４にタッチする毎に８時間→２４時間→ＯＦＦ→６時間のように切り替わるようにしてもよい。
【００７２】
脱臭設定用アイコン１３５にタッチする毎に「入」、「切」の設定が切り替わるようにしてもよい。イオン発生装置用アイコン１３６にタッチする毎に「入」、「切」の設定が切り替わるようにしてもよい。
【００７３】
照明設定用アイコン１３７にタッチする毎に「入」、「切」の設定が切り替わるようにしてもよい。室内暖房装置設定用アイコン１３８にタッチする毎に「入」、「切」の設定が切り替わるようにしてもよい。
【００７４】
これらの作動設定条件や、前記シャワー装置１９又はビデ装置２０の洗浄強さ、位置、ワイド洗浄、マッサージ洗浄などの設定条件を変更した場合、変更後の条件を温水洗浄便座３に送信する。なお、この実施の形態では、変更後の条件を携帯情報端末１０のメモリに記憶させる。そして、シャワー装置１９又はビデ装置２０を作動させる度に携帯情報端末１０のメモリに蓄積されているデータを温水洗浄便座に送信し（ステップ６６）、温水洗浄便座３の設定条件データと携帯情報端末１０の設定条件とを合致させる。
【００７５】
なお、温水洗浄便座３には、温水洗浄便座の累積使用回数・通電時間、当月の電気代や水道代の情報を記録するメモリ部を設定しておき、携帯情報端末１０を所持した人Ｐがトイレルームに入室したときに、温水洗浄便座３から携帯情報端末１０にメモリ部の記憶情報を送信し、携帯情報端末１０の画面に表示させるようにしてもよい。このようにすれば、今現在の機器の水道代、電気代、部品のメンテナンス時期を携帯情報端末１０の画面で確認することができる。
【００７６】
操作画面のデザインを複数用意しておき、ユーザーが画面デザインを自由に選択することができるようにしてもよい。
【００７７】
本発明では、携帯情報端末１０を所持した人Ｐがトイレルームに入室したときに直ちに温水洗浄便座操作用画面に切り換えるのではなく、画面上に「温水洗浄便座を操作しますか？」等のメッセージを表示し、人Ｐが温水洗浄便座操作モードを選択した場合に温水洗浄便座操作画面（図６の非着座時用操作画面８０）に切り換えるようにしてもよい。また、前記メニュースイッチを操作すると、温水洗浄便座の制御用ソフトの起動と非起動を切り替え設定するためのアイコンを表示するようにしてもよい。
【００７８】
上記説明は本発明の一例であり、本発明は上記以外の態様とされてもよい。例えば、条件設定画面１４０の表示項目は上記のものに限定されず、それよりも多くてもよく、少なくてもよい。例えば、後述のスーパー節電の設定、非設定の項目を設けてもよい。
【００７９】
上記実施の形態では、メニュースイッチを操作すると条件設定画面１４０が表示される構成としているが、非着座時操作画面８０、着座時操作画面９０、又は洗浄中用操作画面１００に条件設定アイコンを表示し、この条件設定アイコンによって条件設定を行うことができるようにしてもよい。
【００８０】
図１３は、その一例に係る着座時操作画面１７０を示している。この着座時操作画面１７０では、図９の着座時操作画面９０と同様に、大フラッシュ操作スイッチ用のアイコン９１、小フラッシュ操作スイッチ用のアイコン９２、おしりを強く洗浄するシャワースイッチとしてのおしりアイコン９３、おしりを弱く洗浄するシャワースイッチとしてのマイルドアイコン９４、ビデ洗浄操作用ビデアイコン９５、乾燥操作用の乾燥アイコン９６、洗浄や乾燥を停止させる止スイッチ用の止アイコン９７が表示される。これらのアイコン９１〜９７にタッチしたときの動作は図９の場合と同一である。
【００８１】
この着座時用操作画面１７０の一辺（この場合は下辺）に沿って、条件変更用のアイコン１３１〜１３８及び１７１が表示される。該条件変更用アイコン１３１にタッチしたときには、アイコン９１〜９７が消え、代りに前記図１２のアイコン１５１〜１５３と同様のアイコン（図示略）が表示され、人体検知時における便座及び便蓋の開閉パターンの設定を変更することができる。なお、この開閉パターン設定を変更したときには、それに対応して条件変更用アイコン１３１の便座、便蓋の倒伏形状が変更される。アイコン１３１にもう１度タッチするか、又はリターンアイコン（図示略）にタッチすることにより、着座時用操作画面１７０に復帰する。
【００８２】
節電用アイコン１３４にタッチしたときには、図１４に示す節電条件変更用画面１８０が表示される。この節電条件変更用画面１８０には、アイコン１３４に連なるエリア１８１が表示され、このエリア１８１にはワンタッチ節電アイコン１８２、８ｈアイコン１８３、１２ｈアイコン１８４、２４ｈアイコン１８５及びスーパー節電アイコン１８６が表示されている。ワンタッチ節電アイコン１８２にタッチした後、８ｈアイコン１８３にタッチすると、（又は直接に８ｈアイコン１８３にタッチすると、）便座ヒータ、温水ヒータ、部屋暖房ヒータなどのヒータを該８ｈアイコン１８３にタッチしたときから８時間だけＯＦＦとするヒータオフタイマーがスタートして節電モードが開始すると共に、この節電モードがあと何時間何分継続するかを表わす節電モード残余時間表示（この場合はタッチした直後なので、「節電解除まであと７時間５９分」の表示）が表示される。
【００８３】
１２ｈアイコン１８４又は２４ｈアイコン１８５にタッチすると、この節電モード設定時間がタッチしてから１２時間又は２４時間に変更され、それに対応して節電モード残余時間表示も変更される。ワンタッチ節電アイコン１８２にもう１回タッチすると、この節電モードが解除される。なお、８ｈ、１２ｈ又は２４ｈアイコン１８３、１８４又は１８５により各節電モードを設定すると、当該アイコン１８３、１８４又は１８５とワンタッチ節電アイコン１８２及び節電用アイコン１３４とが異色になると共に、節電用アイコン１３４内に８ｈ、１２ｈ又は２４ｈの文字が表示される。この表示は、当該節電モードが解除されると消える。
【００８４】
スーパー節電アイコン１８６にタッチすると、すべてのヒータをＯＦＦとするスーパー節電モードになり、またスーパー節電アイコン１８６が異色になる。このスーパー節電モードは、スーパー節電アイコン１８６にもう１回タッチすると解除される。このスーパー節電モードは、長期出張、旅行時等に設定するのに好適である。
【００８５】
節電用アイコン１３４にもう１回タッチするか、リターンアイコン（図示略）にタッチすると、画面は図１３に戻る。
【００８６】
照明設定用アイコン１３７にタッチすると、図１５に示す照明設定用画面１９０が表示される。この照明設定用画面１９０には、照明設定用アイコン１３７に連なるエリア１９１が表示され、このエリア１９１内には、ＯＮアイコン１９２とＯＦＦアイコン１９３とが表示されている。ＯＮアイコン１９２にタッチすると、トイレルーム在室検知中は照明装置２４を点灯させる「入」モードが設定され、ＯＦＦアイコン１９３にタッチすると、トイレルームに在室しても照明装置２４を点灯させない「切」モードが設定される。なお、「入」モードが設定されているときには、照明設定用アイコン１３７は明色になると共に、ＯＮアイコン１９２と同形状となり、「切」モードのときは、照明設定用アイコン１３７は、暗色になると共に、ＯＦＦアイコン１９３と同形状となる。
【００８７】
照明設定用アイコン１３７にもう１回タッチするか、リターンアイコン（図示略）にタッチすると、図１３の画面に復帰する。
【００８８】
自動洗浄設定用アイコン１３３、脱臭装置用アイコン１３５、イオン発生装置用アイコン１３６及び部屋暖房設定用アイコン１３８にタッチした場合も、図示は省略するが、各アイコン１３３，１３５，１３６又は１３８に連なるエリアが表示され、このエリアにそれぞれＯＮアイコンとＯＦＦアイコンが表示され、「入」モード又は「切」モードが設定が行われる。また、「入」を設定したときには当該設定用アイコン１３３，１３５，１３６又は１３８が明色となり、「切」を設定したときには当該設定用アイコン１３３，１３５，１３６又は１３８が暗色となる。
【００８９】
当該アイコン１３３，１３５，１３６又は１３８にもう１回タッチするか、又はリターンアイコン（図示略）にタッチすると、図１３の画面に戻る。
【００９０】
図１３の暖房便座用アイコン１３２にタッチすると、図示は省略するが、該アイコン１３２に連なるエリアが表示され、このエリアにＯＮアイコン及びＯＦＦアイコンと共に、便座温度変更用アイコンが表示され、さらに、現状の設定温度を示す表示が表示される。これらのアイコンにより、暖房便座の「入」モード又は「切」モードの設定と、「入」モード時における便座温度の設定が行われる。なお、「入」モードを設定したときには暖房便座用アイコン１３２が明色となり、「切」モード設定時には該アイコン１３２が暗色となる。該アイコン１３２にもう１回タッチするか、リターンアイコン（図示略）にタッチすると、図１３の画面に戻る。
【００９１】
図１６は、条件変更用アイコン１７１にタッチしたときの条件設定画面２００を示している。この条件設定画面２００は、温水洗浄条件を変更するための画面であり、該アイコン１７１に連なるエリア２０１には、前記図１０で表示したものと同様のアイコン１０７〜１１６が表示される。図１０の場合と同様に、前進用アイコン１０７にタッチすると温水洗浄用のノズルが前方に移動し、アイコン１０８にタッチするとノズルが後方に移動する。この移動状況は表示部１０９，１１０に表示される。なお、表示１１０はノズルを模擬した形状よりなり、その中間部付近は位置調節アイコン１１０ａとなっている。この位置調節アイコン１１０ａにタッチしたまま指を動かすドラッグ操作により、ノズルを前後移動させることができる。
【００９２】
条件設定画面２００のエリア２０１には、さらに、洗浄強さを強くするための「＋」アイコン１１１、弱くするための「−」アイコン１１２及び洗浄強さを表示する表示部１１３、洗浄水の温度を高くするための「高」アイコン１１４、この温度を低くするための「低」アイコン１１５、及び設定温度を表示する表示部１１６が表示される。これらの機能は図１０の場合と同一である。
【００９３】
条件変更用アイコン１７１にもう１回タッチするか、又はリターンアイコン（図示略）にタッチすると、図１３の画面に復帰する。
【００９４】
図１３〜１６に示した条件変更用のアイコン１７１，１３１〜１３８は、図８の非着座時用操作画面８０及び図１０の着座時用操作画面１００にも表示されてもよい。
【符号の説明】
【００９５】
１  トイレルーム
２  便器
３  温水洗浄便座
７  第１人体検知センサ
８  第２人体検知センサ
１０  携帯情報端末
３１  温水ヒータ
３２  シリンダ
３３  ノズル
３４  前後進装置
８０，１７０  非着座時用操作画面
９０  着座時用操作画面
１００  洗浄中用操作画面
１４０，１８０，１９０，２００  条件設定画面
１５０  フルオート便座条件設定画面
【図１】
2013036175.tif 000003
【図２】
2013036175.tif 000004
【図３】
2013036175.tif 000005
【図４】
2013036175.tif 000006
【図５】
2013036175.tif 000007
【図６】
2013036175.tif 000008
【図７】
2013036175.tif 000009
【図８】
2013036175.tif 000010
【図９】
2013036175.tif 000011
【図１０】
2013036175.tif 000012
【図１１】
2013036175.tif 000013
【図１２】
2013036175.tif 000014
【図１３】
2013036175.tif 000015
【図１４】
2013036175.tif 000016
【図１５】
2013036175.tif 000017
【図１６】
2013036175.tif 000018